(57)【要約】  本発明は、リンクプレートチェーン、特に車両駆動装置用のリンクプレートチェーンであって、押圧片（３）を介して互いに枢着結合されている多数のリンクプレート（１，１９）が設けられており、押圧片（３）が、リンクプレートチェーンの長手方向に対して直角に延びていて、リンクプレート（１，１９）の開口（２）内に配置されており、押圧片及びリンクプレートにそれぞれ湾曲形成された接触面（７，８，９，１０）が形成されており、該接触面に沿って押圧片とリンクプレートとが力伝達のために互いに接触していて、接触面が、リンクプレートチェーンの長手方向に延びている横断面において、押圧片（３）とリンクプレート（１，１９）との間における、押圧片高さ方向で見て上側の接触領域（４）と下側の接触領域（６）とに形成されている形式のものに関する。このような形式のリンクプレートチェーンにおいて本発明の構成では、リンクプレート（１，１９）の開口（２）が、リンクプレートの接触面（８，１０）の間の領域において内方に向かって湾曲されて形成されている。
2009519409.tif 000002
【特許請求の範囲】
【請求項１】
リンクプレートチェーン、特に車両駆動装置用のリンクプレートチェーンであって、押圧片（３）を介して互いに枢着結合されている多数のリンクプレート（１，１９）が設けられており、押圧片（３）が、リンクプレートチェーンの長手方向に対して直角に延びていて、リンクプレート（１，１９）の開口（２）内に配置されており、押圧片（３）及びリンクプレート（１，１９）にそれぞれ湾曲形成された接触面（７，８，９，１０）が形成されており、該接触面（７，８，９，１０）に沿って押圧片（３）とリンクプレート（１，１９）とが力伝達のために互いに接触していて、接触面（７，８，９，１０）が、リンクプレートチェーンの長手方向に延びている横断面において、押圧片（３）とリンクプレート（１，１９）との間における、押圧片高さ方向で見て上側の接触領域（４）と下側の接触領域（６）とに形成されている形式のものにおいて、リンクプレート（１，１９）の開口（２）が、リンクプレート（１，１９）の接触面（８，１０）の間の領域において内方に向かって湾曲されて形成されていることを特徴とするリンクプレートチェーン。
【請求項２】
押圧片（３）が接触面（７，９）の間の領域において内方に向かって湾曲されて凹面状に形成されている、請求項１記載のリンクプレートチェーン。
【請求項３】
開口（２）を取り囲む、リンクプレート（１，１９）の本体（５）が、接触面（８，１０）の間の領域に、開口（２）から離れる方向に延びる延長部（２０）を有しており、該延長部（２０）が、リンクプレートチェーンの走行方向において隣接したリンクプレート（１，１９）に接触するために設けられている、請求項１又は２記載のリンクプレートチェーン。
【請求項４】
本体（５）が、リンクプレートチェーンの走行方向において両端部に延長部（２０）を有している、請求項３記載のリンクプレートチェーン。
【請求項５】
押圧片（３）が押圧片中心（１２）から見て、接触面（７，９）の領域において凸面状に形成されており、リンクプレートチェーンが所定の屈曲角度を超える屈曲を被った場合に、押圧片（３）が該押圧片（３）の凸面状の領域と、押圧片（３）の接触面（７，９）の間における凹面状の領域との間における移行領域（１５，１７）で、リンクプレート（１，１９）の接触面（８，１０）と、該リンクプレート（１，１９）の接触面（８，１０）の間において内方に向かって湾曲された領域（１３）との間における移行領域（１６，１８）に、係合する、請求項２から４までのいずれか１項記載のリンクプレートチェーン。
【請求項６】
リンクプレートチェーンの走行方向において長さの異なった２つのリンクプレートタイプが設けられている、請求項１から５までのいずれか１項記載のリンクプレートチェーン。
【発明の詳細な説明】
【技術分野】
【０００１】
本発明は、リンクプレートチェーン、特に車両駆動装置用のリンクプレートチェーンであって、押圧片を介して互いに枢着結合されている多数のリンクプレートが設けられており、押圧片が、リンクプレートチェーンの長手方向に対して直角に延びていて、リンクプレートの開口内に配置されており、押圧片及びリンクプレートにそれぞれ湾曲形成された接触面が形成されており、該接触面に沿って押圧片とリンクプレートとが力伝達のために互いに接触していて、接触面が、リンクプレートチェーンの長手方向に延びている横断面において、押圧片とリンクプレートとの間における、押圧片高さ方向で見て上側の接触領域と下側の接触領域とに形成されている形式のものに関する。
【０００２】
このような形式のリンクプレートチェーンは、本出願人による特許出願であるＤＥ１０２００５０５４７１４.１に基づいて公知である。
【０００３】
上記形式のリンクプレートチェーンは、例えば円錐プーリ巻掛け式伝動装置における巻掛け伝動手段（Zugmittel）として使用されることができる。チェーンはこの場合、互いに隣り合う円錐プーリの間において循環し、駆動モータからの駆動モーメントを、押圧片と円錐プーリ対との間における摩擦係合部を介して伝達する。プーリ面における押圧片の衝突によって生じる走行ノイズを減じるために、公知のリンクプレートチェーンは、いわゆる音響上の無作為化（akustische Randomisierung）のためにそれぞれ２つの短いリンクプレートと２つの長いリンクプレートとから成っている。このようなリンクプレートチェーンはつまり短いリンクプレートと長いリンクプレートとを有しており、これらのリンクプレートのうち、さらにベースプレート毎にそれぞれ、いわゆるオーバラップ尖端（Ueberlappungszipfel）を有する又はいわゆる屈曲防止尖端（Verknicksicherungszipfel）を有するリンクプレートも使用される。
【０００４】
オーバラップ尖端はこの場合通常、短いリンクプレートに形成されていて、これにより、長いリンクプレートを備えた隣接したチェーンリンクにおいて、次の次のチェーンリンクのリンクプレートとのオーバラップが適宜なポジションに留まるようになっている。リンクチェーンは運転時に回転方向を逆転され、この回転方向逆転時に各チェーン側区分は、長く延びた位置から屈曲された位置へと移動させられる。さらに伝動装置の組立て時にはリンクプレートチェーンにおいて取扱い操作が行われ、この場合内方及び外方に向かってリンクプレートチェーンが屈曲するおそれがある。この際に短いリンクプレートに設けられたオーバラップ尖端は、リンクプレートのオーバラップが維持されかつリンクプレートの滑り及びクランプが回避されるように、働く。
【０００５】
既に述べた音響上の無作為化のために、リンクプレートは種々様々なピッチ順序で組み立てられており、その結果長いリンクプレート同士が互いに直ぐに続くこともある。この場合長いリンクプレートに設けられた屈曲防止尖端は、組付け時におけるリンクプレートチェーンの取扱い中にリンクプレートチェーンが内方に向かって屈曲すること、ひいては押圧片が回動することを回避するために、働く。予め規定された屈曲角を越えて屈曲したリンクプレートチェーンは、押圧片（以下においてはクレードル押圧片とも呼ぶことがある）の回動によって、このようなリンクプレートチェーンを備えて形成された円錐プーリ巻掛け式伝動装置の早期故障を惹起することがある。
【０００６】
短いリンクプレートもしくは長いリンクプレートのそれぞれ片側に設けられたオーバラップ尖端もしくは屈曲防止尖端は、このような尖端を備えて形成されたリンクプレートが適正に方向付けられて取り付けられねばならないようにするために、つまりオーバラップ尖端もしくは屈曲防止尖端が常に一方向を示すようにするために、役立つ。これによって、例えば振動コンベヤを用いてリンクプレートチェーンの製造時に搬送されるリンクプレートは、その方向付けを検査され、かつ場合によっては選別されねばならず、つまり振動コンベヤの貯え容器に戻し搬送されねばならない。それというのは、リンクプレートは可能な４つの状態位置のうちの１つにおいてしか使用することができないからである。さらに、オーバラップ尖端もしくは屈曲防止尖端を備えたリンクプレートは、オーバラップ尖端又は屈曲防止尖端を備えていないベースリンクとは別の工具を用いて製造されねばならない。
【０００７】
ゆえに本発明の課題は、リンクプレートチェーンの構成及び製造時における手間及びコストを減じることができ、しかもリンクプレートチェーンを迅速に製造することができるようにすることである。
【０００８】
この課題を解決するために本発明は、請求項１記載のように構成されている。また、本発明の別の有利な構成は、請求項２以下に記載されている。
【０００９】
前記課題を解決するために本発明の構成では、リンクプレートチェーン、特に車両駆動装置用のリンクプレートチェーンであって、押圧片を介して互いに枢着結合されている多数のリンクプレートが設けられており、押圧片が、リンクプレートチェーンの長手方向に対して直角に延びていて、リンクプレートの開口内に配置されており、押圧片及びリンクプレートにそれぞれ湾曲形成された接触面が形成されており、該接触面に沿って押圧片とリンクプレートとが力伝達のために互いに接触していて、接触面が、リンクプレートチェーンの長手方向に延びている横断面において、押圧片とリンクプレートとの間における、押圧片高さ方向で見て上側の接触領域と下側の接触領域とに形成されている形式のものにおいて、リンクプレートの開口が、リンクプレートの接触面の間の領域において内方に向かって湾曲されて形成されているようにした。
【００１０】
このように構成されていることによって、本発明によるリンクプレートチェーンのリンクプレートは、クレードル押圧片を受容するための開口を有していて、この開口において、リンクプレートの接触面の間における領域は、開口の仮想中心に向かって内方に湾曲されて形成されている。リンクプレートのそれぞれ上下の接触面が開口の中心から見て外方に向かって湾曲されていると、リンクプレートの両接触面の間における開口の領域は、内方に向かって方向付けられた、つまり開口の中心に向かって延びる湾曲部を有しており、その結果、外方に向かって湾曲されて延びている接触面と内方に向かって湾曲されて延びている面との間の領域には、移行領域又は中間領域が生ぜしめられる。
【００１１】
本発明の別の構成では、押圧片が該押圧片の接触面の間の領域において内方に向かって湾曲されて凹面状に、つまり押圧片の仮想中心に向かって見て内方に向かって湾曲されて形成されている。接触面の間における押圧片の湾曲形成された領域は、リンクプレートの開口内に配置されたクレードル押圧片では、リンクプレートの両接触面の間における、内方に向かって湾曲形成された領域に、対向して位置している。
【００１２】
従って押圧片は、押圧片中心に対して、押圧片の接触面の領域において凸面上に形成されていて、所定の屈曲角を越えたリンクプレートチェーンの屈曲時には、リンクプレートの開口の中心に対して凸面状の湾曲部と凹面状の湾曲部との間における移行領域と係合し、その結果、押圧片の接触面に隣接した移行領域と、リンクプレートの開口の凸面状の湾曲部と凹面状の湾曲部との間における移行領域との間において接触が生じ、つまりそこに隆起部が形成され、この隆起部によって押圧片は、リンクプレートの規定通りの使用時にはそれ以上運動することができず、つまり隆起部を越えて回動することができない。
【００１３】
組立て時においてリンクプレートチェーンが不都合に取り扱われた場合でも、同様に発生するリンクプレートの移行領域における押圧片の移行領域の乗上げによって、リンクプレートチェーンが内方に向かっても外方に向かっても所定の屈曲角を越えて屈曲されることは阻止することができる。
【００１４】
リンクプレートチェーンの隣り合うチェーンリンクもしくは次の次のチェーンリンクが互いに滑ること及びクランプすることを回避するが必要な場合に、本発明の別の有利な構成では、開口を取り囲む、リンクプレートの本体が、リンクプレートの接触面の間の領域に、開口から離れる方向に延びる延長部又は尖端を有しており、該延長部又は尖端が、リンクプレートチェーンの走行方向において隣接したリンクプレートもしくは該リンクプレートの尖端に接触するために設けられている。尖端とも呼ぶことができるこの延長部は、該延長部が次の次のリンクプレートの相応な尖端と合致することに基づいて、この合致もしくはオーバラップがリンクプレートの屈曲時にも維持され、これによりリンクプレート同士が互いに対して滑ること及び互いにクランプすることを防止するために働き、ひいてはリンクプレート同士の滑り及びクランプに基づくリンクプレートチェーンの故障の発生を阻止するために働く。
【００１５】
本発明の別の有利な構成では、本体が、リンクプレートチェーンの走行方向において両端部に、このような延長部を有している。
【００１６】
本発明のさらに別の構成では、２つのリンクプレートタイプの代わりに、それぞれオーバラップ尖端もしくは屈曲防止尖端を備えて又は備えることなしに、つまり４つの異なったリンクプレートチェーンが、リンクプレートチェーンの走行方向において異なった長さの２つのリンクプレートタイプが設けられており、その結果公知のリンクプレートチェーンとは異なり、例えば打抜きを用いて行われるリンクプレートの製造のために、もはや４つの工具を必要とせず、２つの工具だけしか必要なく、さらにリンクプレートをリンクプレートチェーンの製造時に例えば１つの振動コンベヤを用いて搬送することができ、リンクプレートは可能な４つの状態位置のうちの２つにおいて使用されることができるので、振動コンベヤの平均的な処理量は、チェーン毎のリンクプレートの数を同じと仮定した場合、公知の４つのリンクプレートタイプに比べて３３％上昇する。
【００１７】
以下においては、図面を参照しながら本発明の実施例を説明する。
【００１８】
図１は、短いリンクプレートであるリンクプレートを、該リンクプレートの開口内に配置されたクレードル押圧片と共に示す平面図であり、
図２は、長いリンクプレートであるリンクプレートを、該リンクプレートの開口内に配置されたクレードル押圧片と共に示す平面図である。
【００１９】
図１には短いリンクプレート１が平面図で示されており、このリンクプレート１の開口２には、図面を簡単にするために２対の押圧片の代わりに、ただ１つの押圧片３だけが配置されて示されている。
【００２０】
リンクプレート１の本体５と押圧片３との間における上側の接触面領域４には、押圧片３と本体５とに接触面７，８が形成されており、これらの接触面７，８に沿って押圧片３とリンクプレート１とは力伝達のために互いに接触している。
【００２１】
同様に、押圧片３とリンクプレート１との間における下側の接触面領域６には、押圧片３に接触面９が形成され、本体５には接触面１０が形成されている。
【００２２】
開口２の中心１１から見て本体５の上側の接触面８及び下側の接触面１０は、外方に向かって湾曲されて、つまり凸面状に形成されている。
【００２３】
同様に、押圧片３の上側の接触面７及び下側の接触面９は、押圧片３の中心１２に対して凸面状に形成されている。
【００２４】
それに対して開口２は、本体５の上側の接触面９と下側の接触面１０との間において、つまり中間領域１３において、開口２の中心１１に対して凹面状に形成されており、またこの中間領域１３に対応配置された押圧片３の中間領域１４も、上側の接触面７と下側の接触面９との間の領域において凹面状に形成されている。
【００２５】
押圧片３には従って接触面７と中間領域１４との間に、上側の移行領域１５が形成されており、この上側の移行領域１５には本体５の側に、上側の接触面８と中間領域１３との間における上側の移行領域１６が対向して位置している。
【００２６】
短いリンクプレート１と長いリンクプレート１９（図２）とによって形成されたリンクプレートチェーンが、図１に示された矢印Ｆの方向における屈曲負荷にさらされると、つまり長く延びたチェーンから見て内方に向かって屈曲されると、押圧片３はその上側の移行領域１５がリンクプレート１の上側の移行領域１６に接触して、所定の屈曲角度を超えてリンクプレートチェーンが折れ曲がることを阻止する。
【００２７】
同様に、短いリンクプレート１と長いリンクプレート１９とによって形成されたリンクプレートチェーンが、図１に示された矢印Ｐの方向において、所定の屈曲角度を超える変位にさらされると、押圧片３の中間領域１４と下側の接触面９との間に形成された下側の移行領域１７が、本体２の中間領域１３と下側の接触面１０との間に形成された下側の移行領域１８と接触し、その結果押圧片３の下側の移行領域１７とリンクプレート１の下側の移行領域１８との間における係合によって、リンクプレートチェーンが、矢印Ｐの方向でつまり外方に向かって所定の屈曲角度を超えて折れ曲がることは阻止される。
【００２８】
図２においても、開口２に配置された１つの押圧片３だけをもって長いリンクプレートチェーン１９が示されている。図面から明らかなように、この長いリンクプレート１９は、図１に示された短いリンクプレート１に比べて、リンクプレートチェーンの長手方向Ａにおいて大きな長さを有していることによって異なっており、このように形成された長いリンクプレートは、図１に示された短いリンクプレートとの関連において、音響上の無作為化のために使用されることができる。長いリンクプレート１９の本体５と短いリンクプレート１の本体５には、両リンクプレート１，１９の両端部に各１つの延長部２０が形成されており、この延長部２０はオーバラップ尖端（Ueberlappungszipfel）として次のことのために働く。すなわちこの延長部２０によって、隣り合うリンクプレートが互いに対して滑ること及びクランプすることが阻止され、ひいては延長部又は尖端２０と、先隣のつまり次の次に位置するチェーンリンクの延長部又は尖端２０とのオーバラップに基づいて、リンクプレート１，１９の滑り（Verrutschen）及びクランプ（Verklemmen）を阻止するオーバラップもしくは重なりが得られる。
【００２９】
公知のリンクプレートとは異なり、本発明によるリンクプレートは、短いリンクプレート１及び長いリンクプレート１９のような、リンクプレートチェーンの走行方向において異なった長さのリンクプレートタイプによって形成されるだけである。従来におけるような４つの工具の代わりに、短いもしくは長い２つのリンクプレートタイプを製造するためには、２つの工具しか必要でなく、リンクプレートは自動化された製造において例えば振動コンベヤを用いて、従来におけるような可能な４つの位置のうちの１つにおいてではなく、可能な４つの位置のうちの２つにおいて使用されることができ、その結果振動コンベヤの平均的な処理量（Ausbringungsrate）を著しく上昇させることができる。
【図面の簡単な説明】
【００３０】
【図１】短いリンクプレートであるリンクプレートを、該リンクプレートの開口内に配置されたクレードル押圧片と共に示す平面図である。
【図２】長いリンクプレートであるリンクプレートを、該リンクプレートの開口内に配置されたクレードル押圧片と共に示す平面図である。
【符号の説明】
【００３１】
１  短いリンクプレート、  ２  開口、  ３  押圧片、  ４  上側の接触領域、  ５  本体、  ６  下側の接触領域、  ７  押圧片の上側の接触面、  ８  本体の上側の接触面、  ９  押圧片の下側の接触面、  １０  本体の下側の接触面、  １１  開口の中心、  １２  押圧片の中心、  １３  本体の中間領域、  １４  押圧片の中間領域、  １５  押圧片の上側の移行領域、  １６  リンクプレートの上側の移行領域、  １７  押圧片の下側の移行領域、  １８  リンクプレートの下側の移行領域、  １９  長いリンクプレート、  ２０  延長部
【図１】
2009519409.tif 000003
【図２】
2009519409.tif 000004
【国際調査報告】
2009519409.tif 000005
2009519409.tif 000006
2009519409.tif 000007
2009519409.tif 000008
2009519409.tif 000009
2009519409.tif 000010